【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
データ入力デバイスであって、
経済グループドメインオブジェクト（２００）に割り当てられた経済グループの人口統計データを記述する経済グループデータと、
該経済グループの財政状態を記述する財政状態データであって、該財政状態データは、財政状態ドメインオブジェクト（２３７）に割り当てられており、該財政状態ドメインオブジェクト（２３７）は、財産（２７７）、負債（２７８）、方針、収入（２８０）、および支出（２８１）を含むグループから選択される少なくとも１つドメインオブジェクト（２７７〜２８１）を含む、財政状態データと、
該財政グループに関連付けられた少なくとも１つの目標を記述する目標データであって、該目標データは、目標ドメインオブジェクト（２６１）に割り当てられている、目標データと、
該少なくとも１つの目標のそれぞれに対する仮定データであって、該仮定データは、該少なくとも１つの目標に関連付けられたパラメータを定義し、該目標ドメインオブジェクトに割り当てられている、仮定データと
を入力する、データ入力デバイスと、
該経済グループデータ、該財政状態データ、該目標データ、該仮定データ、およびシミュレータを含むソフトウェアアーキテクチャを格納する格納デバイスと、
イベントにより生じた該経済グループの財政状態に対する変化をシミュレートすることにより、該少なくとも１つの目標を解決するように該シミュレータ（１１５）を実行させるプロセッサと
を備えた、財政計画システムであって、
該シミュレータ（１１５）は、
該少なくとも１つドメインオブジェクト（２７７〜２８１）が最後にプロンプトされて以来のそれ自身の進化をシミュレートするように、該少なくとも１つドメインオブジェクト（２７７〜２８１）をプロンプトしながら、時間を通じて繰り返すことにより時間の経過をシミュレートするステップと、
該財政状態データを用いて日付プロセッサオブジェクト（１１６）を発生させるステップであって、該日付プロセッサオブジェクト（１１６）は、該財政状態ドメインオブジェクト（２３７）に影響を与えるそれぞれのイベントに対して発生される、ステップと、
それぞれの日付プロセッサオブジェクト（１１６）を定期的にポーリングすることにより、該財政状態ドメインオブジェクト（２３７）に対する調整を行うために、それぞれの日付プロセッサオブジェクト（１１６）が必要とする次にシミュレートされる日付を決定するステップと、
イベントが生ずるようにシミュレートされる日付になった場合には、該日付をすべての日付プロセッサオブジェクト（１１６）に通知するステップと
を包含し、
それぞれの日付プロセッサオブジェクト（１１６）は、
該財政状態ドメインオブジェクト（２３７）と該少なくとも１つドメインオブジェクト（２７７〜２８１）とにおける必要な変化を記録するステップを包含する、財政計画システム。
【請求項２】
前記経済グループドメインオブジェクト（２００）に依存する複数のメンバードメインオブジェクト（２４３）をさらに含み、該複数のメンバードメインオブジェクト（２４３）のそれぞれは、該経済グループのメンバーを識別する、請求項１に記載の財政計画システム。
【請求項３】
慈善団体ドメインオブジェクト（２５７）、前記経済グループの人々を定義する人物ドメインオブジェクト（２４４）、法人ドメインオブジェクト（２５３）、およびその他のオブジェクトドメイン（２５５）のうちの少なくとも１つをさらに含み、該慈善団体ドメインオブジェクト（２５７）、該前記経済グループの人々を定義する人物ドメインオブジェクト（２４４）、該法人ドメインオブジェクト（２５３）、および該その他のオブジェクトドメイン（２５５）のそれぞれは、前記複数のメンバードメインオブジェクト（２４３）のうちの少なくとも１つに依存しており、
該法人ドメインオブジェクト（２５３）は、信託、夫婦信託、提携、および企業を含む、請求項２に記載の財政計画システム。
【請求項４】
前記複数のメンバードメインオブジェクト（２４３）のうちの少なくとも１つは、顧客として識別されるメンバーを含む、請求項２に記載の財政計画システム。
【請求項５】
グループ情報ドメインオブジェクト（２５０）をさらに含み、該グループ情報ドメインオブジェクト（２５０）は、前記人物ドメインオブジェクト（２４４）に依存しており、前記少なくとも１つの顧客に関する情報を含む、請求項４に記載の財政計画システム。
【請求項６】
前記少なくとも１つの顧客に関する情報は、前記経済グループの住所および口座番号を含む、請求項５に記載の財政計画システム。
【請求項７】
当事者ドメインオブジェクト（２４８）であって、前記人物ドメインオブジェクト（２４４）に依存しており、該人物ドメインオブジェクト（２４４）よって定義された人物を識別する、当事者ドメインオブジェクト（２４８）と、
該当事者ドメインオブジェクト（２４８）によって識別された人物と前記少なくとも１つの顧客との間の関係を定義する関係ドメインオブジェクト（２４６）と
をさらに含み、
該関係は、該人物と該少なくとも１つの顧客との間の１組の単一的な関連を含む、請求項４に記載の財政計画システム。
【請求項８】
財政情報ドメインオブジェクト（２５２）であって、前記経済グループドメインオブジェクト（２００）に依存しており、該経済グループの財政情報を定義する、財政情報ドメインオブジェクト（２５２）と、
該財政情報ドメインオブジェクト（２５２）に依存している複数の財政計画オブジェクト（２５４）と
をさらに含む、請求項７に記載の財政計画システム。
【請求項９】
前記複数の財政計画オブジェクト（２５４）は、遺産および遺言を含む、請求項８に記載の財政計画システム。
【請求項１０】
前記財政状態ドメインオブジェクト（２３７）は、複数のデータラッパー（５０１〜５０７）を含む階層ドメインオブジェクトであり、該複数のデータラッパー（５０１〜５０７）のそれぞれは、前記経済グループの、カテゴリについての財政情報を含む、請求項３に記載の財政計画システム。
【請求項１１】
複数のカテゴリは、計画（５０１）、個人（５０２）、方針（５０３）、ＳＢＯ会計（５０４）、キャッシュフロー（５０５）、有価証券（５０６）、および年金（５０７）を含む、請求項１０に記載の財政計画システム。
【請求項１２】
前記複数のデータラッパーのそれぞれは、複数のドメインオブジェクト（２７７〜２８１）を含み、該複数のドメインオブジェクト（２７７〜２８１）は、データラッパーに依存しており、前記経済グループの財政状態を決定する、請求項１１に記載の財政計画システム。
【請求項１３】
前記財政状態ドメインオブジェクト（２３７）は、顧客の財政環境をシミュレートする、請求項１２に記載の財政計画システム。
【請求項１４】
前記財産ドメインオブジェクト（２７７）は、以下の情報：
カテゴリ（３００）、詳細（３０１）、所有者（３０２）、現在の値（３０３）、税状態（３０４）、生涯目的（３０５）、割り当てパーセント（３０６）、関連負債（３０７）、財産配分（３０８）、利率パーセント（３０９）、満期日付（３１０）、コストベース（３１１）、法的財産所有権（３１２）、財産受取人指定（３１３）、死亡時清算（３１４）、および共有プロップ（３１５）を含み、
カテゴリは、株式、貯蓄口座、および投資信託を含み、詳細は、出身、または会社に関するテキスト情報を含み、所有者は、好適には、第１の顧客、第２の顧客のいずれか、または該第１の顧客および該第２の顧客の両方の所有者を含み、生涯目的は、特定の目標の達成に向けて、特定の財産を具体的に指定することを可能にし、関連負債は、財産と負債との関係を提供し、財産配分は、財産群がどのように配分されるかを示し、法的財産所有権は、あらゆる場所に存在し得る法的所有を示し、財産受取人指定は、該所有者（３０２）の死亡を受けて、財産の受取人を識別し、死亡時清算は、該所有者（３０２）の死亡時に、財産が清算されるかどうかを示し、共有プロップは、財産が共有財産であるか否かを識別する、請求項１に記載の財政計画システム。
【請求項１５】
前記負債ドメインオブジェクト（２７８）は、以下の情報：
カテゴリ（３１６）、詳細（３１７）、関連財産（３１８）、支払いタイプ（３２１）、計算方法（３２２）、負債条件（３２３）、利率を含む負債条件（３２３）、収支、および死亡時の支払い（３２５）を含む、請求項１に記載の財政計画システム。
【請求項１６】
前記方針ドメインオブジェクトは、以下の情報：
タイプ（３２６）、カテゴリ（３２７）、詳細（３１７）、額面（３２８）、受取りパターン（３２９）、被保険者（３３０）、所有者（３３２）、以前の所有者（３３１）、支払い代金（３３３）、第一および偶発受取人（３３４）、関連財産（３３８）、財産の金銭価値（３３７）、共有財産（３１５）、障害時の受取り額（３４０）、保険料（３４１）、保険料周期（３４４）、および方針期限日（３４３）を含む、請求項１に記載の財政計画システム。
【請求項１７】
前記収入ドメインオブジェクト（２８０）は、以下の情報：
カテゴリ（３４５）、詳細（３４６）、人物（３４７）、金額（３４８）、周期（３４９）、増加率（３５０）、開始日（３５１）、終了日（３５２）、課税パーセント（３５３）、およびＦＩＣＡパーセント（３５４）を含む、請求項１に記載の財政計画システム。
【請求項１８】
前記支出ドメインオブジェクト（２８１）は、以下の情報：
タイプ（３５５）、カテゴリ（３５６）、詳細（３５７）、税状態（３５８）、人物（３５９）、金額（３６０）、周期（３６１）、開始日（３６２）、終了日（３６３）、インフレーションレート（３６４）、税込み（３６５）、控除可能パーセント（３６６）、および生涯目的（３６７）を含む、請求項１に記載の財政計画システム。
【請求項１９】
アカウントドメインオブジェクト（２８２）は、財産ドメインオブジェクト（２７７）と負債ドメインオブジェクト（２８１）とを組み合わせることによって作成され、
サブキャッシュフロードメインオブジェクト（２８３）は、収入ドメインオブジェクト（２８０）と支出ドメインオブジェクト（２８１）とを組み合わせることによって作成される、請求項１に記載の財政計画システム。
【請求項２０】
前記経済グループドメインオブジェクト（２００）に対するインターフェースであって、前記複数のデータラッパー（５０１〜５０７）が、該経済グループの複数のメンバードメインオブジェクト（２４３）に含まれている前記人物ドメインオブジェクト（２４４）および前記法人ドメインオブジェクト（２５３）のうちの少なくとも１つに関連付けられることを可能する、インターフェースをさらに含む、請求項１０に記載の財政計画システム。
【請求項２１】
目標アーキテクチャ（２３６）をさらに含み、
該目標アーキテクチャ（２３６）は、
前記経済グループドメインオブジェクト（２００）と前記財政状態ドメインオブジェクト（２３７）との間のインターフェースと提供するＬＩＦＥドメインオブジェクト（２５６）と、
前記目標ドメインオブジェクト（２６１）と、
該ＬＩＦＥドメインオブジェクト（２５６）と該目標ドメインオブジェクト（２６１）との間のインターフェースを提供する現在目標ドメインオブジェクト（２６４）と
を含む、請求項１に記載の財政計画システム。
【請求項２２】
前記経済グループドメインオブジェクト（２００）における変化が前記ＬＩＦＥドメインオブジェクト（２５６）と前記財政状態ドメインオブジェクト（２３７）とに同報通信され、該ＬＩＦＥドメインオブジェクト（２５６）と該財政状態ドメインオブジェクト（２３７）とのそれぞれは、該変化を反映するように順次更新される、請求項２１に記載の財政計画システム。
【請求項２３】
前記仮定データは、目標に対する現在の仮定データと該目標に対する代替の仮定データとを含む、請求項２１に記載の財政計画システム。
【請求項２４】
前記目標アーキテクチャ（２３６）は、現在ビュー（２５９）と代替ビュー（２６０）とをさらに含み、
該現在ビュー（２５９）は、前記経済グループドメインオブジェクト（２００）の現在の財政状態と前記目標に対する前記現在の仮定データとを反映しており、
該代替ビュー（２６０）は、該経済グループドメインオブジェクト（２００）の代替の財政状態と該目標に対する前記代替の仮定データとを反映している、請求項２３に記載の財政計画システム。
【請求項２５】
前記少なくとも１つの目標は、投資目標（２６５）、不動産計画目標（２６６）、保護目標（２６７）、および他の目標（２６８）を含む、請求項１に記載の財政計画システム。
【請求項２６】
前記投資目標（２６５）は、教育、退職、および新車を含む群から選択され、
前記保護目標（２６７）は、死亡、および障害を含む群から選択される、請求項２５に記載の財政計画システム。
【請求項２７】
前記仮定データは、
生存者（単数または複数）の一月の生活費（８５）、所得税率（８６）、投資リスク許容度（８７）、該生存者の社会保障の受領可否（８８）、生存者の予測余命（８９）、およびインフレーションレート（９０）を含む、請求項１に記載の財政計画システム。
【請求項２８】
前記少なくとも１つの目標のうちの１つに対して、前記少なくとも１つのドメインオブジェクト（２７７〜２８１）のうちの１つを識別するメカニズム（２８７）をさらに含む、請求項１に記載の財政計画システム。
【請求項２９】
関係識別子が、前記識別されたドメインオブジェクト（２７７〜２８１）と、前記１つの目標と、該１つの目標に関連付けられたパラメータを有する仮定データとに割り当てられる、請求項２８に記載の財政計画システム。
【請求項３０】
前記１つの目標は、該１つの目標に特定の財産（２７７）を割り当てることによって解決される、請求項２９に記載の財政計画システム。
【請求項３１】
前記１つの目標を解決するために、該１つの目標が解決される前に少なくとも１つの別の目標が解決されなければならないように該少なくとも１つの別の目標に対する依存性が存在し、
該１つの目標と該少なくとも１つの目標とは、該依存性に基づいて順番に解決される、請求項３０に記載の財政計画システム。
【請求項３２】
前記シミュレータ（１１５）は、前記財政状態データのコピーを含み、
該シミュレータ（１１５）は、該財政状態データのコピーから、前記財政状態ドメインオブジェクト（２３７）に影響を与えるそれぞれのイベントに対する前記日付プロセッサオブジェクト（１１６）を発生させる、請求項１に記載の財政計画システム。
【請求項３３】
前記日付プロセッサオブジェクト（１１６）は、
前記少なくとも１つのドメインオブジェクト（２７７〜２８１）のそれぞれに対するキャッシュフロー発生器（１１７）と、
レポート発生器（１１８）と、
イベントハンドラー（１１９）と
を含み、
それぞれのキャッシュフロー発生器（１１７）は、前記少なくとも１つのドメインオブジェクト（２７７）のそれぞれにおける通常イベントを担うシミュレーションクラスであり、
該レポート発生器（１１８）は、前記シミュレーション（１１５）のシミュレーションの間に該少なくとも１つのドメインオブジェクト（２７７〜２８１）において生じる変化を捕捉することを担うシミュレーションクラスであり、
該イベントハンドラー（１１９）は、該イベントの発生を反映するために必要である変更を行うように該シミュレータ（１１５）に指示することを担うシミュレーションクラスである、請求項３２に記載の財政計画システム。
【請求項３４】
前記少なくとも１つのドメインオブジェクト（２７７〜２８１）が変化し、または更新を必要とするたびに、それぞれのキャッシュフロー発生器（１１７）は、トランザクション（１２０）を作成し、
作成されると、該トランザクション（１２０）は、収支に加算または該収支から減算することにより、該少なくとも１つのドメインオブジェクト（２７７〜２８１）を適切に修正し、
前記イベントハンドラー（１１９）は、前記イベントの影響を反映するように、前記財政状態ドメインオブジェクト（２３７）を適切に変更する、請求項３３に記載の財政計画システム。
【請求項３５】
解決されるべき目標が前記データ入力デバイスから選択されると、前記シミュレータ（１１５）が作成され、前記目標ドメインオブジェクト（２６１）によって発生された死亡イベントハンドラー（１２２）が順次提供され、
前記財政状態ドメインオブジェクト（２３７）が、シミュレートされた財政状態ドメインオブジェクト（１２３）にコピーされ、
該シミュレートされた財政状態ドメインオブジェクト（１２３）は、それぞれのドメインオブジェクト（２７７〜２８１）からそれぞれのキャッシュフロー発生器（１１７）を受け取り、それぞれのキャッシュフロー発生器（１１７）は、前記シミュレータ（１１５）のシミュレーション中にトランザクションを発生させ、
該シミュレートされた財政状態ドメインオブジェクト（１２３）およびそれぞれのキャッシュフロー発生器（１１７）は、該シミュレータ（１１５）に提供される、請求項３４に記載の財政計画システム。
【請求項３６】
日付プロセッサオブジェクト（１１６）は、前記シミュレートされた財政状態（１２３）に変化をもたらすキャッシュフロー発生器（１１７）を発生させる、請求項３５に記載の財政計画システム。
【請求項３７】
前記イベントハンドラーは、前記イベントが死亡の場合、富の配分をシミュレートする仮想執行者（１２１）であり、
前記目標ドメインオブジェクト（２６１）は、前記目標データと前記仮想データとを前記シミュレータ（１１５）に提供し、
前記目標ドメインオブジェクト（２１６）は、前記シミュレータからのシミュレーションをリクエストし、前記仮想執行者（１２１）に組み合わせられる複数のパラメータを該シミュレータ（１１５）に通信し、
前記仮想執行者（１２１）は、和解情報を該目標ドメインオブジェクト（２６１）と該シミュレータ（１１５）とに通信する、請求項３４に記載の財政計画システム。
【請求項３８】
前記複数のパラメータは、インフレーション、税、利回り、開始日、終了日、および死亡日を含む、請求項３７に記載の財政計画システム。
【請求項３９】
前記経済グループデータにおいて定義される関係が、和解情報を決定するように前記仮想執行者（１２１）に組み込まれる、請求項３７に記載の財政計画システム。
【請求項４０】
前記シミュレータ（１１５）は、シミュレートされた将来の財政状態の現在の価値を計算するように構成されている時間価値計算機をさらに含む、請求項１に記載の財政計画システム。
【請求項４１】
前記時間価値計算機は、潜在的な将来の財政不足を識別し、該潜在的な将来の財政不足を取り除く現在の貯蓄額を計算するようにさらに構成されている、請求項４０に記載の財政計画システム。
【請求項４２】
前記シミュレータ（１１５）は、相互に排他的なイベントをシミュレートすることを回避するように構成されている、請求項１に記載の財政計画システム。
【請求項４３】
前記ソフトウェアアーキテクチャは、前記プロセッサと通信する戦略器（４００）であって、前記経済グループの現在の財政状態と該経済グループの代替の財政状態とを比較する戦略器（４００）をさらに含む、請求項１に記載の財政計画システム。
【請求項４４】
前記経済グループデータ、前記財政状態データ、前記目標データ、および前記仮定データが新たなデータベースにコピーされる、請求項４３に記載の財政計画システム。
【請求項４５】
前記新たなデータベース内の前記財政状態データ、前記目標データ、および前記仮定データのうちの少なくとも１つは、修正され、前記シミュレータは、インベンにより生じた該経済グループの変更された財政状態に対する変化をシミュレートすることにより、該少なくとも１つの修正された目標を解決する、請求項４４に記載の財政計画システム。
【請求項４６】
パーシステンスシステムとリレーショナルデータベース管理システムとをさらに含み、該パーシステンスシステムは、該リレーショナルデータベース管理システムからデータオブジェクトを検索し、該データオブジェクトを該パーシステンスシステムにロードし、該データオブジェクトを該リレーショナルデータベース管理システムに書き込むように構成されている、請求項１に記載の財政計画システム。
【請求項４７】
前記パーシステンスシステムは、前記財政計画システムによって必要とされる前記データオブジェクトをメモリ内に配置するように構成されており、該財政計画システムによって必要とされていない該データオブジェクトを該メモリから取り除くようにさらに構成されている、請求項４６に記載の財政計画システム。
【請求項４８】
前記パーシステンスシステムは、前記データオブジェクトが修正された場合にのみ、前記リレーショナルデータベース管理システムにデータオブジェクトを書き込むように構成されている、請求項４６に記載の財政計画システム。
【請求項４９】
前記パーシステンスシステムは、データオブジェクトが前記リレーショナルデータベース管理システムに一度のみ存在するように、オブジェクトルックアップテーブルを維持するように構成されている、請求項４６に記載の財政計画システム。
【請求項５０】
経済グループの財政状態をシミュレートする方法であって、
該方法は、
経済グループドメインオブジェクト（２００）に割り当てられた経済グループの人口統計データを記述する経済グループデータを提供することと、
該経済グループの財政状態を記述する財政状態データを提供することであって、該財政状態データは、財政状態ドメインオブジェクト（２３７）に割り当てられており、該財政状態ドメインオブジェクト（２３７）は、財産（２７７）、負債（２７８）、方針、収入（２８０）、および支出（２８１）を含むグループから選択される少なくとも１つドメインオブジェクト（２７７〜２８１）を含む、ことと、
該財政グループに関連付けられた少なくとも１つの目標を記述する目標データを提供することであって、該目標データは、目標ドメインオブジェクト（２６１）に割り当てられている、ことと、
該少なくとも１つの目標のそれぞれに対する仮定データを提供することであって、該仮定データは、該少なくとも１つの目標に関連付けられたパラメータを定義し、該目標ドメインオブジェクトに割り当てられている、ことと
該経済グループデータ、該財政状態データ、該目標データ、該仮定データ、およびシミュレータを含むソフトウェアアーキテクチャを格納することと、
イベントにより生じた該経済グループの財政状態に対する変化をシミュレートすることにより、該少なくとも１つの目標を解決するように該シミュレータ（１１５）を実行させることと
を包含し、
該シミュレータ（１１５）は、
該少なくとも１つドメインオブジェクト（２７７〜２８１）が最後にプロンプトされて以来のそれ自身の進化をシミュレートするように、該少なくとも１つドメインオブジェクト（２７７〜２８１）をプロンプトしながら、時間を通じて繰り返すことにより時間の経過をシミュレートするステップと、
該財政状態データを用いて日付プロセッサオブジェクト（１１６）を発生させるステップであって、該日付プロセッサオブジェクト（１１６）は、該財政状態ドメインオブジェクト（２３７）に影響を与えるそれぞれのイベントに対して発生される、ステップと、
それぞれの日付プロセッサオブジェクト（１１６）を定期的にポーリングすることにより、該財政状態ドメインオブジェクト（２３７）に対する調整を行うために、それぞれの日付プロセッサオブジェクト（１１６）が必要とする次にシミュレートされる日付を決定するステップと、
イベントが生ずるようにシミュレートされる日付になった場合には、該日付をすべての日付プロセッサオブジェクト（１１６）に通知するステップと
を包含し、
それぞれの日付プロセッサオブジェクト（１１６）は、
該財政状態ドメインオブジェクト（２３７）と該少なくとも１つドメインオブジェクト（２７７〜２８１）とにおける必要な変化を記録するステップを包含する、方法。
【請求項５１】
前記経済グループドメインオブジェクト（２００）に依存する複数のメンバードメインオブジェクト（２４３）を提供することをさらに包含し、該複数のメンバードメインオブジェクト（２４３）のそれぞれは、該経済グループのメンバーを識別する、請求項５０に記載の方法。
【請求項５２】
慈善団体ドメインオブジェクト（２５７）、前記経済グループの人々を定義する人物ドメインオブジェクト（２４４）、法人ドメインオブジェクト（２５３）、およびその他のオブジェクトドメイン（２５５）のうちの少なくとも１つを提供することをさらに包含し、該慈善団体ドメインオブジェクト（２５７）、該前記経済グループの人々を定義する人物ドメインオブジェクト（２４４）、該法人ドメインオブジェクト（２５３）、および該その他のオブジェクトドメイン（２５５）のそれぞれは、前記複数のメンバードメインオブジェクト（２４３）のうちの少なくとも１つに依存しており、
該法人ドメインオブジェクト（２５３）は、信託、夫婦信託、提携、および企業を含む、請求項５１に記載の方法。
【請求項５３】
前記複数のメンバードメインオブジェクト（２４３）のうちの少なくとも１つは、顧客として識別されるメンバーを含む、請求項５１に記載の方法。
【請求項５４】
グループ情報ドメインオブジェクト（２５０）を提供することをさらに包含し、該グループ情報ドメインオブジェクト（２５０）は、前記人物ドメインオブジェクト（２４４）に依存しており、前記少なくとも１つの顧客に関する情報を含む、請求項５３に記載の方法。
【請求項５５】
前記少なくとも１つの顧客に関する情報は、前記経済グループの住所および口座番号を含む、請求項５４に記載の方法。
【請求項５６】
当事者ドメインオブジェクト（２４８）を提供することであって、該当事者ドメインオブジェクト（２４８）は、前記人物ドメインオブジェクト（２４４）に依存しており、該人物ドメインオブジェクト（２４４）よって定義された人物を識別する、ことと、
該当事者ドメインオブジェクト（２４８）によって識別された人物と前記少なくとも１つの顧客との間の関係を定義する関係ドメインオブジェクト（２４６）を提供することと
をさらに包含し、
該関係は、該人物と該少なくとも１つの顧客との間の１組の単一的な関連を含む、請求項５３に記載の方法。
【請求項５７】
財政情報ドメインオブジェクト（２５２）を提供することであって、該財政情報ドメインオブジェクト（２５２）は、前記経済グループドメインオブジェクト（２００）に依存しており、該経済グループの財政情報を定義する、ことと、
該財政情報ドメインオブジェクト（２５２）に依存している複数の財政計画オブジェクト（２５４）を提供することと
をさらに包含する、請求項５６に記載の方法。
【請求項５８】
前記複数の財政計画オブジェクト（２５４）は、遺産および遺言を含む、請求項５７に記載の方法。
【請求項５９】
前記財政状態ドメインオブジェクト（２３７）は、複数のデータラッパー（５０１〜５０７）を含む階層ドメインオブジェクトであり、該複数のデータラッパー（５０１〜５０７）のそれぞれは、前記経済グループの、カテゴリについての財政情報を含む、請求項５２に記載の方法。
【請求項６０】
複数のカテゴリは、計画（５０１）、個人（５０２）、方針（５０３）、ＳＢＯ会計（５０４）、キャッシュフロー（５０５）、有価証券（５０６）、および年金（５０７）を含む、請求項５９に記載の方法。
【請求項６１】
前記複数のデータラッパーのそれぞれは、複数のドメインオブジェクト（２７７〜２８１）を含み、該複数のドメインオブジェクト（２７７〜２８１）は、データラッパーに依存しており、前記経済グループの財政状態を決定する、請求項６０に記載の方法。
【請求項６２】
前記財政状態ドメインオブジェクト（２３７）は、顧客の財政環境をシミュレートする、請求項６１に記載の方法。
【請求項６３】
前記財産ドメインオブジェクト（２７７）は、以下の情報：
カテゴリ（３００）、詳細（３０１）、所有者（３０２）、現在の値（３０３）、税状態（３０４）、生涯目的（３０５）、割り当てパーセント（３０６）、関連負債（３０７）、財産配分（３０８）、利率パーセント（３０９）、満期日付（３１０）、コストベース（３１１）、法的財産所有権（３１２）、財産受取人指定（３１３）、死亡時清算（３１４）、および共有プロップ（３１５）を含み、
カテゴリは、株式、貯蓄口座、および投資信託を含み、詳細は、出身、または会社に関するテキスト情報を含み、所有者は、好適には、第１の顧客、第２の顧客のいずれか、または該第１の顧客および該第２の顧客の両方の所有者を含み、生涯目的は、特定の目標の達成に向けて、特定の財産を具体的に指定することを可能にし、関連負債は、財産と負債との関係を提供し、財産配分は、財産群がどのように配分されるかを示し、法的財産所有権は、あらゆる場所に存在し得る法的所有を示し、財産受取人指定は、該所有者（３０２）の死亡を受けて、財産の受取人を識別し、死亡時清算は、該所有者（３０２）の死亡時に、財産が清算されるかどうかを示し、共有プロップは、財産が共有財産であるか否かを識別する、請求項５０に記載の方法。
【請求項６４】
前記負債ドメインオブジェクト（２７８）は、以下の情報：
カテゴリ（３１６）、詳細（３１７）、関連財産（３１８）、支払いタイプ（３２１）、計算方法（３２２）、負債条件（３２３）、利率を含む負債条件（３２３）、収支、および死亡時の支払い（３２５）を含む、請求項５０に記載の方法。
【請求項６５】
前記方針ドメインオブジェクトは、以下の情報：
タイプ（３２６）、カテゴリ（３２７）、詳細（３１７）、額面（３２８）、受取りパターン（３２９）、被保険者（３３０）、所有者（３３２）、以前の所有者（３３１）、支払い代金（３３３）、第一および偶発受取人（３３４）、関連財産（３３８）、財産の金銭価値（３３７）、共有財産（３１５）、障害時の受取り額（３４０）、保険料（３４１）、保険料周期（３４４）、および方針期限日（３４３）を含む、請求項５０に記載の方法。
【請求項６６】
前記収入ドメインオブジェクト（２８０）は、以下の情報：
カテゴリ（３４５）、詳細（３４６）、人物（３４７）、金額（３４８）、周期（３４９）、増加率（３５０）、開始日（３５１）、終了日（３５２）、課税パーセント（３５３）、およびＦＩＣＡパーセント（３５４）を含む、請求項５０に記載の方法。
【請求項６７】
前記支出ドメインオブジェクト（２８１）は、以下の情報：
タイプ（３５５）、カテゴリ（３５６）、詳細（３５７）、税状態（３５８）、人物（３５９）、金額（３６０）、周期（３６１）、開始日（３６２）、終了日（３６３）、インフレーションレート（３６４）、税込み（３６５）、控除可能パーセント（３６６）、および生涯目的（３６７）を含む、請求項５０に記載の方法。
【請求項６８】
財産ドメインオブジェクト（２７７）と負債ドメインオブジェクト（２８１）とを組み合わせることによって、アカウントドメインオブジェクト（２８２）を作成することと、
収入ドメインオブジェクト（２８０）と支出ドメインオブジェクト（２８１）とを組み合わせることによって、サブキャッシュフロードメインオブジェクト（２８３）を作成することと
をさらに包含する、請求項５０に記載の方法。
【請求項６９】
前記経済グループドメインオブジェクト（２００）に対するインターフェースを提供することにより、前記複数のデータラッパー（５０１〜５０７）が、該経済グループの複数のメンバードメインオブジェクト（２４３）に含まれている前記人物ドメインオブジェクト（２４４）および前記法人ドメインオブジェクト（２５３）のうちの少なくとも１つに関連付けられることを可能することをさらに包含する、請求項５９に記載の方法。
【請求項７０】
目標アーキテクチャ（２３６）を提供することをさらに包含し、
該目標アーキテクチャ（２３６）は、
前記経済グループドメインオブジェクト（２００）と前記財政状態ドメインオブジェクト（２３７）との間のインターフェースと提供するＬＩＦＥドメインオブジェクト（２５６）と、
前記目標ドメインオブジェクト（２６１）と、
該ＬＩＦＥドメインオブジェクト（２５６）と該目標ドメインオブジェクト（２６１）との間のインターフェースを提供する現在目標ドメインオブジェクト（２６４）と
を含む、請求項５０に記載の方法。
【請求項７１】
前記経済グループドメインオブジェクト（２００）における変化が前記ＬＩＦＥドメインオブジェクト（２５６）と前記財政状態ドメインオブジェクト（２３７）とに同報通信され、該ＬＩＦＥドメインオブジェクト（２５６）と該財政状態ドメインオブジェクト（２３７）とのそれぞれは、該変化を反映するように順次更新される、請求項７０に記載の方法。
【請求項７２】
前記仮定データは、目標に対する現在の仮定データと該目標に対する代替の仮定データとを含む、請求項７１に記載の方法。
【請求項７３】
前記目標アーキテクチャ（２３６）は、現在ビュー（２５９）と代替ビュー（２６０）とをさらに含み、
該現在ビュー（２５９）は、前記経済グループドメインオブジェクト（２００）の現在の財政状態と前記目標に対する前記現在の仮定データとを反映しており、
該代替ビュー（２６０）は、該経済グループドメインオブジェクト（２００）の代替の財政状態と該目標に対する前記代替の仮定データとを反映している、請求項７２に記載の方法。
【請求項７４】
前記少なくとも１つの目標は、投資目標（２６５）、不動産計画目標（２６６）、保護目標（２６７）、および他の目標（２６８）を含む、請求項５０に記載の方法。
【請求項７５】
前記投資目標（２６５）は、教育、退職、および新車を含む群から選択され、
前記保護目標（２６７）は、死亡、および障害を含む群から選択される、請求項７４に記載の方法。
【請求項７６】
前記仮定データは、
生存者（単数または複数）の一月の生活費（８５）、所得税率（８６）、投資リスク許容度（８７）、該生存者の社会保障の受領可否（８８）、生存者の予測余命（８９）、およびインフレーションレート（９０）を含む、請求項５０に記載の方法。
【請求項７７】
前記少なくとも１つの目標のうちの１つに対して、前記少なくとも１つのドメインオブジェクト（２７７〜２８１）のうちの１つを識別するメカニズム（２８７）を提供することをさらに包含する、請求項５０に記載の方法。
【請求項７８】
前記識別されたドメインオブジェクト（２７７〜２８１）と、前記１つの目標と、該１つの目標に関連付けられたパラメータを有する仮定データとに関係識別子を割り当てることをさらに包含する、請求項７７に記載の方法。
【請求項７９】
前記１つの目標は、該１つの目標に特定の財産（２７７）を割り当てることによって解決される、請求項７８に記載の方法。
【請求項８０】
前記１つの目標を解決するために、該１つの目標が解決される前に少なくとも１つの別の目標が解決されなければならないように該少なくとも１つの別の目標に対する依存性が存在し、
該１つの目標と該少なくとも１つの目標とは、該依存性に基づいて順番に解決される、請求項７９に記載の方法。
【請求項８１】
前記シミュレータ（１１５）は、前記財政状態データのコピーを含み、
前記方法は、
該シミュレータ（１１５）が該財政状態データのコピーから、前記財政状態ドメインオブジェクト（２３７）に影響を与えるそれぞれのイベントに対する前記日付プロセッサオブジェクト（１１６）を発生させることを包含する、請求項５０に記載の方法。
【請求項８２】
前記日付プロセッサオブジェクト（１１６）は、
前記少なくとも１つのドメインオブジェクト（２７７〜２８１）のそれぞれに対するキャッシュフロー発生器（１１７）と、
レポート発生器（１１８）と、
イベントハンドラー（１１９）と
を含み、
それぞれのキャッシュフロー発生器（１１７）は、前記少なくとも１つのドメインオブジェクト（２７７）のそれぞれにおける通常イベントを担うシミュレーションクラスであり、
該レポート発生器（１１８）は、前記シミュレーション（１１５）のシミュレーションの間に該少なくとも１つのドメインオブジェクト（２７７〜２８１）において生じる変化を捕捉することを担うシミュレーションクラスであり、
該イベントハンドラー（１１９）は、該イベントの発生を反映するために必要である変更を行うように該シミュレータ（１１５）に指示することを担うシミュレーションクラスである、請求項８１に記載の方法。
【請求項８３】
前記少なくとも１つのドメインオブジェクト（２７７〜２８１）が変化し、または更新を必要とするたびに、それぞれのキャッシュフロー発生器（１１７）が、トランザクション（１２０）を作成することと、
作成されると、該トランザクション（１２０）が、収支に加算または該収支から減算することにより、該少なくとも１つのドメインオブジェクト（２７７〜２８１）を適切に修正することと、
前記イベントハンドラー（１１９）が、前記イベントの影響を反映するように、前記財政状態ドメインオブジェクト（２３７）を適切に変更することと
をさらに包含する、請求項８２に記載の方法。
【請求項８４】
解決されるべき目標がデータ入力デバイスから選択されると、前記シミュレータ（１１５）を作成し、前記目標ドメインオブジェクト（２６１）によって発生された死亡イベントハンドラー（１２２）が該シミュレータ（１１５）に順次提供されることと、
前記財政状態ドメインオブジェクト（２３７）をシミュレートされた財政状態ドメインオブジェクト（１２３）にコピーすることと、
該シミュレートされた財政状態ドメインオブジェクト（１２３）が、それぞれのドメインオブジェクト（２７７〜２８１）からそれぞれのキャッシュフロー発生器（１１７）を受け取ることであって、それぞれのキャッシュフロー発生器（１１７）は、前記シミュレータ（１１５）のシミュレーション中にトランザクションを発生させる、ことと、
該シミュレートされた財政状態ドメインオブジェクト（１２３）およびそれぞれのキャッシュフロー発生器（１１７）を該シミュレータ（１１５）に提供することと
をさらに包含する、請求項８３に記載の方法。
【請求項８５】
前記日付プロセッサオブジェクト（１１６）が、前記シミュレートされた財政状態（１２３）に変化をもたらすキャッシュフロー発生器（１１７）を発生させることをさらに包含する、請求項８４に記載の方法。
【請求項８６】
前記イベントハンドラーは、前記イベントが死亡の場合、富の配分をシミュレートする仮想執行者（１２１）であり、
該方法は、
前記目標ドメインオブジェクト（２６１）が、前記目標データと前記仮想データとを前記シミュレータ（１１５）に提供することと、
前記目標ドメインオブジェクト（２１６）が、前記シミュレータからのシミュレーションをリクエストし、前記仮想執行者（１２１）に組み合わせられる複数のパラメータを該シミュレータ（１１５）に通信することと、
前記仮想執行者（１２１）が、和解情報を該目標ドメインオブジェクト（２６１）と該シミュレータ（１１５）とに通信することと
をさらに包含する、請求項８３に記載の方法。
【請求項８７】
前記複数のパラメータは、インフレーション、税、利回り、開始日、終了日、および死亡日を含む、請求項８６に記載の方法。
【請求項８８】
前記経済グループデータにおいて定義される関係を和解情報を決定するように前記仮想執行者（１２１）に組み込むことをさらに包含する、請求項８７に記載の方法。
【請求項８９】
前記シミュレータ（１１５）は、シミュレートされた将来の財政状態の現在の価値を計算するように構成されている時間価値計算機をさらに含む、請求項５０に記載の方法。
【請求項９０】
前記時間価値計算機が、潜在的な将来の財政不足を識別し、該潜在的な将来の財政不足を取り除く現在の貯蓄額を計算することをさらに包含する、請求項８９に記載の方法。
【請求項９１】
前記シミュレータ（１１５）が、相互に排他的なイベントをシミュレートすることを回避することをさらに包含する、請求項５０に記載の方法。
【請求項９２】
前記ソフトウェアアーキテクチャは、戦略器（４００）をさらに含み、
前記方法は、
該戦略器（４００）が、前記プロセッサと通信することにより、前記経済グループの現在の財政状態と該経済グループの代替の財政状態とを比較することをさらに包含する、請求項５０に記載の方法。
【請求項９３】
前記経済グループデータ、前記財政状態データ、前記目標データ、および前記仮定データを新たなデータベースにコピーすることをさらに包含する、請求項９２に記載の方法。
【請求項９４】
前記新たなデータベース内の前記財政状態データ、前記目標データ、および前記仮定データのうちの少なくとも１つを修正することをさらに包含し、
前記シミュレータは、インベンにより生じた該経済グループの変更された財政状態に対する変化をシミュレートすることにより、該少なくとも１つの修正された目標を解決する、請求項９３に記載の方法。
【請求項９５】
パーシステンスシステムを提供することと、
リレーショナルデータベース管理システムを提供することと、
該リレーショナルデータベース管理システムからデータオブジェクトを検索することと、
該データオブジェクトを該パーシステンスシステムにロードすることと、
該データオブジェクトを該リレーショナルデータベース管理システムに書き込むことと
をさらに包含する、請求項５０に記載の方法。
【請求項９６】
前記パーシステンスシステムは、データオブジェクトが前記リレーショナルデータベース管理システムに一度のみ存在するように、オブジェクトルックアップテーブルを維持する、請求項９５に記載の方法。
【請求項９７】
前記データオブジェクトをリレーショナルデータベース管理システムに書き込むことは、前記データオブジェクトが修正された場合にのみ、該データオブジェクトを該リレーショナルデータベース管理システムに書き込むことを包含する、請求項９５に記載の方法。